(57)【要約】【課題】  映写スクリーンに映像を映す際に防眩性が良く、かつ、映像の質感を向上させ、更には、映像のコントラスト、明るさをもよく再現することができる映写スクリーンを提供する。【解決手段】  基板と、当該基板上に設けられた着色層と、当該着色層上に設けられた光拡散層と、により構成された映写スクリーンであって、前記着色層と前記光拡散層の間にパール顔料を含有する光反射層が部分的に設ける。【選択図】  図１
2006337582.tif 000002
【特許請求の範囲】
【請求項１】
基板と、当該基板上に設けられた着色層と、当該着色層上に設けられた光拡散層と、により構成された映写スクリーンにおいて、
前記着色層と前記光拡散層の間には、パール顔料を含有する光反射層が部分的に設けられていることを特徴とする映写スクリーン。
【請求項２】
請求項１に記載の映写スクリーンにおいて、
前記パール顔料の平均粒径が、２〜２５μｍであることを特徴とする映写スクリーン。
【請求項３】
請求項１又は請求項２に記載の映写スクリーンにおいて、
前記光反射層の厚さが、１〜２μｍであることを特徴とする映写スクリーン。
【発明の詳細な説明】
【技術分野】
【０００１】
本発明は、映写スクリーンに関する。
【背景技術】
【０００２】
従来から、会議、講演等では予め準備していた映像を映し出して講義が行われることが多く、このような場合に映写スクリーンが頻繁に用いられている。
【０００３】
現在、このような映写スクリーンに関しては様々な開発が行われており、例えば、映写時の光の反射を抑えることを目的として、当該スクリーンの表面にマット材等を含有する層を設けることで、当該表面に微細な凹凸を形成することが行われている（特許文献１）。
【特許文献１】特開平９−０１５７２８号公報
【発明の開示】
【発明が解決しようとする課題】
【０００４】
しかしながら、このような映写スクリーンに映像を映すと、映写スクリーンの表面の微小な凹凸のため、映像の質感が良くないという問題が生じていた。
【０００５】
本発明は、このような問題に鑑みなされたものであり、映写スクリーンに映像を映す際に防眩性が良く、かつ、映像の質感を向上させ、更には、映像のコントラスト、明るさをもよく再現することができる映写スクリーンを提供することを目的とする。
【課題を解決するための手段】
【０００６】
上記課題を解決するための、本願第１の発明は、基板と、当該基板上に設けられた着色層と、当該着色層上に設けられた光拡散層と、により構成された映写スクリーンであって、前記着色層と前記光拡散層の間にパール顔料を含有する光反射層が部分的に設けられていることを特徴とする。
【０００７】
上記発明においては、前記パール顔料の平均粒径が、２〜２５μｍであることが好ましい。
【０００８】
また上記発明においては、前記光反射層の厚さが、１〜２μｍであってもよい。
【発明の効果】
【０００９】
本願発明によれば、着色層と光拡散層の間にパール顔料を含有する光反射層を設けることによって、適度に光沢を出すことができる。また、このパール顔料を着色層の上の全面に設けず、部分的に設けたことによって、全面にパール層を設けた場合よりも映写スクリーンの表面に移る映像の移り込みを減少させることができ、映像が明るくなりすぎることを防ぐことができる。更には、映像の質感を向上させ、映像のコントラスト、明るさをよく再現することができる。
【００１０】
更に、パール顔料の平均粒径を上記範囲に設定することによって、映写の際の過度の光沢を減少させ、反射を抑え防眩性を向上させることができ、映像の滑らかな質感を出すことができる。
【発明を実施するための最良の形態】
【００１１】
以下に、本願発明の映写スクリーンについて、図面を用いて具体的に説明する。
【００１２】
図１は、本願発明の映写スクリーンの構成を説明するための概略断面図である。
【００１３】
図１に示すように、映写スクリーンＳは、基板１と、基板１上に設けられた着色層２と、着色層２上に設けられ、パール顔料を含有する光反射層３と、光反射層３上に設けられた光拡散層４により構成されている。なお、本明細書中、上下の語は、映写スクリーンＳにおいて、基板１を下にして置いた場合の上下を示す。
【００１４】
以下に、本発明の映写スクリーンＳの各構成について具体的に説明する。
【００１５】
まず、基板１について説明する。
【００１６】
基板１は、映写スクリーンＳを作成する際に映写スクリーンの土台となるものである。基板１の材質は特に限定されることはなく、当該映写スクリーンが用いられる状況や、求められる性能によって、任意に選択すればよい。例えば、プラスチック基板やガラス基板、鋼板等を用いることができる。特に鋼板としては、通常電気亜鉛メッキ鋼板、溶融亜鉛メッキ鋼板、ステンレス板等の鋼板等を用いることができる。
【００１７】
また、基板１の形状についても特に限定されることはなく、シート状、板状、フィルム状であってよく、本発明の映写スクリーンが用いられる用途等により、任意に選択される。
【００１８】
さらに、基板１の厚みも特に限定されず、本発明の映写スクリーンが用いられる用途等により、任意に選択される。
【００１９】
次に、着色層２について説明する。
【００２０】
着色層２は、前記基板の色を隠蔽し、映写スクリーンＳのとしての色を付与するための層である。着色層の色については、本発明は特に限定することはないが、映写される映像の見やすさを考慮すると、通常は白色とすることが好ましいが、コントラストや意匠性等を考慮して、薄い灰色等としてもよい。
【００２１】
着色層２の材料は、電離放射線硬化（ＥＢ）樹脂、紫外線硬化樹脂等が用いられる。特に、電離放射線硬化（ＥＢ）樹脂が好ましく、この電離放射線硬化（ＥＢ）樹脂には、オリゴポリエステル（メタ）アクリレート、多価アルコール（メタ）アクリレート等が用いられる。本発明に用いるオリゴポリエステルアクリレートとは、主鎖にポリエステル骨格を用い、これに（メタ）アクリル酸をエステル化反応して得られるものをいい、本発明に用いるものとしては、十分な架橋網目構造を有する必要性から、１分子中に（メタ）アクリロイルを２ケ以上含むもので、更に望ましくは３ケ以上含むものが望ましい。また、架橋密度を十分に大にしなければならないので、（メタ）アクリロイル基当量も４００以下であることが望ましい。
【００２２】
本成分に関して、更に詳しく述べる。主鎖にポリエステル骨格を用いたオリゴ（メタ）アクリレートとは、多価アルコールと多価カルボン酸よりなり、ポリエステルの末端に水酸基があるものを用い、これに（メタ）アクリル酸又はその誘導体を反応させて（メタ）アクリロイル基を導入したものをいう。ここで更に、ポリエステル骨格を形成する合成原料に関して述べる。
【００２３】
即ち、２価アルコールとしては、アルキレングリコール型として、エチレングリコール、プロピレングリコール、クロルポロピレングリコール、ブタンジオール（１，３―または１，４―または２，３―）、３―メチルペンタンジオール、２，２―ジエチルプロパンジオール、ペンタメチレングリコール、１，６―ヘキサンジオール、ヘプタメチレングリコール、オクタメチレングリコール、ノナメチレングリコール、ネオペンチルグリコール、ヘキサメチレンジオールなど、脂環式グリコール型として、１，４―シクロヘキサンジオール、シクロヘキサン―１，４―ジメタノール、水素化ビスフェノールＡなど、ポリアルキレングリコール型として、ジエチレングリコール、トリエチレングリコール、ポリエチレングリコール、ジプロピレングリコール、ポリプロピレングリコール、ポリテトラメチレングリコール、ポリブタジエンジオールなど、また芳香族系グリコール型として、２，２’―ビス（４―ヒドロキシフェニル）プロパン（別名ビスフェノールＡ）、ビス（４―ヒドロキシフェニル）メタン（別名ビスフェノールＦ）、４，４’―ジヒドロキシフェニル、ハイドロキノン、レゾルシンなどのフェノール類にアルキレンオキサイド（エチレンオキサイド、プロピレンオキサイド、ブチレンオキサイドなど）を付加して得られるグリコール類などがあげられる。
【００２４】
３〜４価アルコールとしては、アルカントリオール型として、グリセリン、トリメチロールメタン、トリメチロールエタン、トリメチロールプロパン、１，２，６―ヘキサントリオール、１，２，３―ブタントリオール、１，２，３―ペンタントリオール、２―メチル―２，３，４―ブタントリオール、２―エチル−２，３，４―ブタントリオール、２―メチル―１，２，３―ブタントリオール、２―エチル―１，２，３―ブタントリオール、２，３，４―ヘキサントリオール、ペンタメチレングリコールなど、アルカンテトラオールとして、エリスリトール、ペンタエリスリトール、トイレット、１，２，３，４―ペンタンテトロール、２，３，４，５―ヘキサンテトロール、２，５―ジメチル―２，３，４，５―ヘキサンテトロール、１，２，３，５―ペンタンテトロール、３―ヘキセン―１，２，５，６―テトロール、３―ヘキシン―１，２，５，６―テトロールなど、エーテル基含有脂肪族トリオールとして、グリセリンやトリメチロールプロパンなどにアルキレンオキサイド（エチレンオキサイド、プロピレンオキサイド、ブチレンオキサイドなど）を付加させて得られるトリオールなど、エーテル基含有脂肪族テトラオールとしてエリスリトールやペンタエリスリトールなどにアルキレンオキサイドを付加して得られるテトラオールなど、また芳香族トリオールとして、ピロガロールにアルキレンオキサイドを付加して得られるトリオールなどがあげられる。
【００２５】
カルボン酸としては、鎖状または分岐状２価カルボン酸として、しゅう酸、マロン酸、コハク酸、グルタル酸、イタコン酸、マレイン酸、フマール酸、アジピン酸、セバシン酸、ドテカン酸、メチレングルタル酸、メチルマレイン酸、メチルコハク酸、ドデセニルコハク酸など、脂肪族ジカルボン酸として、テトラヒドロフタル酸、ヘキサヒドロフタル酸、６―メチルテトラヒドロフタル酸、６―メチルヘキサヒドロフタル酸、エンドメチレンテトラヒドロフタル酸、エンドイソプロピリデンテトラヒドロフタル酸、１，４，５，６，７，７―ヘキサクロロ―エンド―５―ノルボルネン―２，３―ジカルボン酸（別名ヘット酸）、１，４，５，６，７，７―ヘキサブロモ―エンド―５―ノルボルネン―２，３―ジカルボン酸、シクロヘキサン、１，４―ジカルボン酸など、また芳香族ジカルボン酸として、フタル酸、イソフタル酸、テレフタル酸、テトラクロロフタル酸、テトラブロモフタル酸、あるいはこれらの無水物などがあげられる。
【００２６】
これらよりなるポリエステルオリゴマーの（メタ）アクリロイル基が２ケであるもののいくつかを具体的に例示すれば、マレイン酸とエチレングリコールとのポリエステルジオールのジ（メタ）アクリレート、マレイン酸とジエチレングリコールとのポリエステルのジ（メタ）アクリレート、アジピン酸とジエチレングリコールとのポリエステルジオールジ（メタ）アクリレート、テトラヒドロフタル酸とジエチレングリコールとのポリエステルジオールのジ（メタ）アクリレート、テトラヒドロフタル酸とプロピレングリコールとのポリエステルジオールのジ（メタ）アクリレート、テトラヒドロフタル酸とブタンジオール（１，３―または、１，４―）とのポリエステルジオールのジ（メタ）アクリレート、テトラヒドロフタル酸と１，６―ヘキサンジオールとのポリエステルジオールのジ（メタ）アクリレート、テトラヒドロフタル酸とネオペンチルグリコールとのポリエステルジオールのジ（メタ）アクリレート、テトラヒドロフタル酸と１，４―シクロヘキサンジオールとのポリエステルジオールのジ（メタ）アクリレート、フタル酸とジエチレングリコールとのポリエステルジオールのジ（メタ）アクリレート、フタル酸とネオペンチルグリコールとのポリエステルジオールのジ（メタ）アクリレートなどがあげられる。
【００２７】
これらのポリエステルオリゴマーの中で、テトラヒドロフタル酸もしくはアジピン酸と炭素数３〜６個のアルキレングリコールとのポリエステルジオールのジ（メタ）アクリレートの構造をもち、数平均分子量３５０〜８００、（メタ）アクリロイル基１個当りの数平均分子量１８０〜４００のポリエステルオリゴマーが本発明の目的に対して、特に好適である。
【００２８】
さらに、（メタ）アクリロイル基が２ケ以上であるポリエステルオリゴマーのいくつかを具体的に例示すれば、アジピン酸とペンタエリスリトールとのポリエステルポリオールのテトラ（メタ）アクリレート、ペンタ（メタ）アクリレート、ヘキサ（メタ）アクリレート、テトラヒドロフタル酸とペンタエリスリトールとのポリエステルポリオールのテトラメタアクリレート、ペンタ（メタ）アクリレート、ヘキサ（メタ）アクリレート、フタル酸とペンタエリスリトールとのポリエステルポリオールのテトラ（メタ）アクリレート、ペンタ（メタ）アクリレート、ヘキサ（メタ）アクリレート、マレイン酸とペンタエリスリトールとのポリエステルポリオールのテトラ（メタ）アクリレート、ペンタ（メタ）アクリレート、ヘキサ（メタ）アクリレート、アジピン酸とトリメチロールプロパンとのポリエステルポリオールのテトラ（メタ）アクリレート、ペンタ（メタ）アクリレート、ヘキサ（メタ）アクリレート、テトラヒドロフタル酸とトリメチロールプロパンとのポリエステルポリオールのテトラ（メタ）アクリレート、ペンタ（メタ）アクリレート、ヘキサ（メタ）アクリレート、テトラヒドロフタル酸とグリセリンのポリエステルポリオールのテトラ（メタ）アクリレート、ペンタ（メタ）アクリレート、ヘキサ（メタ）アクリレートなどがあげられる。
【００２９】
これらのポリエステルオリゴマーの中で、アジピン酸またはテトラヒドロフタル酸とトリメチロールプロパン、またはペンタエリスリトールとのポリエステルポリオールのテトラ（メタ）アクリレート、ペンタ（メタ）アクリレートまたはヘキサ（メタ）アクリレートの構造をもち数平均分子量５５０〜２０００、（メタ）アルリロイル基１当りの数平均分子量１００〜３５０のポリエステルオリゴマーが本発明の目的に対して好適である。
【００３０】
次に本発明にいう多価アルコール（メタ）アクリレートとは、多価アルコールの末端の水酸基に（メタ）アクリル酸を反応させて（メタ）アクリロイル基を導入したものをいい、オリゴ（メタ）アクリレートと組合せて極めて高度な架橋密度を得るための役目を果すものである。
【００３１】
そのためには、１分子中に（メタ）アクリロイル基を２ケ以上含むもので、（メタ）アクリロイル基当量が１５０以下、更に望ましくは１３０程度以下が好ましい。
【００３２】
尚この場合、前述の多価アルコール（メタ）アクリレートの混合物でもよい。ここにいう多価アルコールとは次のようなものをいう。
【００３３】
即ち、２価アルコールとしては、アルキレングリコール型として、エチレングリコール、プロピレングリコール、クロルプロピレングリコール、ブタンジオール（１，３―または１，４―または２，３―）、３―メチルペンタンジオール、２，２―ジエチルプロパンジオール、ペンタメチレングリコール、１，６―ヘキサンジオール、ヘプタメチレングリコール、オクタメチレングリコール、ノナメチレングリコール、ネオペンチルグリコール、ヘキサメチレンジオールなど、脂環式グリコール型として、１，４―シクロヘキサンジオール、シクロヘキサン―１，４―ジメタノール、水素化ビスフェノールＡなど、ポリアルキレングリコール型として、ジエチレングリコール、トリエチレングリコール、ポリエチレングリコール、ジプロピレングリコール、ポリプロピレングリコール、ポリテトラメチレングリコール、ポリブタジエンジオールなど、また芳香族系グリコール型として、２，２’―ビス（４―ヒドロキシフェニル）プロパン（別名ビスフェノールＡ）、ビス（４―ヒドロキシフェニル）メタン（別名ビスフェノールＦ）、４，４’―ジヒドロキシフェニル、ハイドロキノン、レゾルシンなどのフェノール類にアルキレンオキサイド（エチレンオキサイド、プロピレンオキサイド、ブチレンオキサイドなど）を付加して得られるグリコール類などがあげられる。
【００３４】
３価以上のアルコールとしては、アルカントリオール型として、グリセリン、トリメチロールメタン、トリメチロールエタン、トリメチロールプロパン、１，２，６―ヘキサントリオール、１，２，３―ブタントリオール、１，２，３―ペンタントリオール、２―メチル―２，３，４―ブタントリオール、２―エチル―２，３，４―ブタントリオール、２―メチル―１，２，３―ブタントリオール、２―エチル―１，２，３―ブタントリオール、２，３，４―ヘキサントリオール、ペンタメチレングリコールなど、アルカンテトラオールとして、エリスリトール、ペンタエリスリトール、ジペンタエリスリトール、トイレット、１，２，３，４―ペンタンテトロール、２，３，４，５―ヘキサンテトロール、２，５―ジメチル―２，３，４，５―ヘキサンテトロール、１，２，３，５―ペンタンテトロール、３―ヘキセン―１，２，５，６―テトロール、３―ヘキシン―１，２，５，６―テトロールなど、エーテル基含有脂肪族トリオールとして、グリセリンやトリメチロールプロパンなどにアルキレンオキサイド（エチレンオキサイド、プロピレンオキサイド、ブチレンオキサイドなど）を付加させて得られるトリオールなど、エーテル基含有脂肪族テトラオールとしてエリスリトールやペンタエリスリトールなどにアルキレンオキサイドを付加させて得られるテトラオールなど、また芳香族トリオールとして、ピロガロールにアルキレンオキサイドを付加させて得られるトリオールなどがあげられる。
【００３５】
このうち、結果として（メタ）アクリロイル基当量が１２０以下のものが特に好ましい。
【００３６】
以上、本発明を構成する組成物の樹脂成分に関して述べたが、この他に顔料、溶剤、ポリマー等を必要に応じて添加することができる。
【００３７】
無機着色顔料としては、弁柄、黄色酸化鉄、クロムバーミリオン、酸化クロム、カーボンブラック等、有機着色顔料としては、キナクリドン、イソインドリノン、インダンスレンブルー、フタロシアニンブルー、フタロシアニングリーン等があげられる。
【００３８】
その他として、チタンホワイト、炭酸カルシウム、硫酸バリウム、アルミナ、シリカ等が挙げられる。オーバープリンティングワニスにも必要に応じて添加される。
【００３９】
溶剤としては、キシレン、酢酸ブチル、シクロヘキサノン、メチルセロソルブ、エチルセロソルブ、モルフォリン、オレフィン系溶剤等が挙げられる。
【００４０】
ポリマーとしては、塗布性を向上させるために使用することがあるが、ポリエステル、アクリル、ウレタン、エポキシ等が用いられる。この場合、量的に多すぎると性能低下になるので、適当量添加する。着色層２の厚さは、特に限定されないが、具体的に、２０〜３０μｍが好適である。基板１上の全面に着色層２を設ける（ベタ印刷）ことにより、映写スクリーンＳの白色を出すことができる。
【００４１】
次に、光反射層３について説明する。
【００４２】
ここで、光反射層３は、映写される映像の色のコントラスト、明るさを調整し、映像の質感を出すために設けられた層である。光反射層３は、着色層２上に部分的に設けられ、樹脂にパール顔料を含有する層である。樹脂としては特に限定されないが、ポリエステル系樹脂、アクリル系樹脂、アルキド系樹脂等が用いられる。本発明で使用されるパール顔料は、公知のものであればよく、例えば雲母、塩基性炭酸鉛、ビスマスオキシクロライド、グラファイト、アルミニウム、アルミナ、シリカ、ガラス等を基質とし、当該基質の表面を酸化チタン、酸化鉄、酸化コバルト、チタン酸コバルト等により被覆したものを挙げることができる。
【００４３】
次に、パール顔料の平均粒径について説明する。パール顔料の平均粒径は、２〜２５μｍであることが好ましい。例えば、上記した粒径以上の平均粒径を持つパール顔料を用いた場合には、パール顔料の粒径が大きいため、映写の際に光沢が多く発生し、反射がきつくまぶしい印象となってしまうため、それらを防止し、映像の滑らかな質感を出すために上記の粒径であることが好ましい。
【００４４】
また、光反射層の厚さは、１〜２μｍが好ましい。
【００４５】
次に、光反射層３の設け方（部分的（パターン）な設け方）について図２を用いて説明する。
【００４６】
図２は、本発明の映写スクリーンの光反射層のパターンを説明するための図である。
【００４７】
パール顔料を含有する光反射層を全面に形成した場合には、スクリーン全面で光が反射するので、写り込みが大きくなり、またスクリーンが明るすぎることになってしまい、逆に、光反射層を全く設けないと、スクリーンに光沢感がなくなり映像の質感が低下してしまうところ、図２に示すように、パール顔料を含有する光反射層３を所定のパターンで部分的に形成することにより、光反射層が形成されている部分ａでは光が反射される一方で、光反射層３形成されていない部分ｂでは光が反射されず透過するので、映写スクリーンに適度な光沢を付与することができ、これによりこれにより、映像のコントラスト、明るさ、色の再現をよく保つことができる。
【００４８】
なお、光反射層３のパターン形状は、図２に示したパターンに限定されることはなく、上記の作用効果を発揮するパターンであればよい。具体的には、例えば、布目抽象柄のような均一なパターンが望ましく、空隙率は５０〜８０％程度が好ましい。
【００４９】
空隙率が８０％を超える場合（光反射層の柄が少ない場合）には、映像の色のコントラストが弱くなり、一方、空隙率が５０％未満である場合（光反射層の柄が多い場合）には、正面反射がきつくまぶしい印象となる。
【００５０】
次に、光反射層３上に設けられる光拡散層４について説明する。
【００５１】
光拡散層４は、映写スクリーンＳの表面の光の反射を調整するために設けられる層である。
【００５２】
当該光拡散層４には、表面に微小で滑らかな凹凸を与え、映写スクリーンＳ表面の光の反射を調整し防眩性を高めるために、ガラスもしくは樹脂ビーズが含有せしめられている。ガラスビーズとしては、必要とする凹凸に応じて粒径２μｍ〜７０μｍのソーダ石灰ガラスないしは低アルカリガラスを用いることが好ましい。ソーダ石灰ガラスはアルカリもしくは水により、極微量ではあるが、長期間使用すると溶出する可能性があり、イオン透過抵抗を低下させるため、低アルカリガラスの方が好ましい。樹脂ビーズとしては、メラミン、スチレンアクリル、テフロン（登録商標）、ポリアクリロニトリル等の比較的硬いビーズがあげられるが、硬さの点からいうと架橋アクリル樹脂ビーズが好ましく、必要とする凹凸に応じて２μｍ〜１００μｍの粒径のものが選択される。その他、高硬度を要求されない用途によっては、ナイロン、ウレタン等のビーズも用いられる。
【００５３】
このようなビーズを固定するための樹脂成分としては特に限定されなることはなく、例えば、ポリエステル系樹脂、アクリル系樹脂、アルキド系樹脂等を用いればよい。ここで、特に、ＥＢ樹脂は、オリゴポリエステル（メタ）アクリレート、多価アルコール（メタ）アクリレート等が用いられる。詳しくは上記した通りである。
【００５４】
以上説明したように、着色層と光拡散層の間にパール顔料を含有する光反射層を設けることによって、適度に光沢を出すことができ、また、このパール顔料を着色層の上全面に設けず、部分的に設けたことによって、全面にパール層を設けた場合よりも映写スクリーンの表面に移る映像の移り込みを減少させることができ、映像が明るくなりすぎることを防ぐことができる。更には、映像の質感を向上させ、映像のコントラスト、明るさをよく再現することができる。
【００５５】
更に、パール顔料の平均粒径を上記範囲に設定することによって、映写の際の過度の光沢を減少させ、反射を抑え防眩性を向上させることができ、映像の滑らかな質感を出すことができる。
【図面の簡単な説明】
【００５６】
【図１】本発明の映写スクリーンの層構成を説明するための概略断面図である。
【図２】本発明の映写スクリーンの光反射層のパターンを説明するための図である。
【符号の説明】
【００５７】
Ｓ  …  映写スクリーン
１  …  基板
２  …  着色層
３  …  光反射層
４  …  光拡散層
【図１】
2006337582.tif 000003
【図２】
2006337582.tif 000004